(57)【要約】  本発明は、有効外径を有する中心導体、その中心導体の周囲に位置する誘電性材料、その誘電性材料の周囲に位置する半導電層、及びその誘電性材料の周囲に位置する外側導体又はシールドを有するケーブルであって、そのシールドが有効内径を有し、その中心導体が、２．０２６×１０-3ｃｍ2（３．１４１×１０-4ｉｎ2）以下の断面積を有し、そのケーブルが、約４９ｐＦ／ｍ（約１５ｐＦ／ｆｔ）以下の静電容量を有し、そのケーブルが、１１１Ｎ（２５ｌｂｆ）以上の引張力条件下で電気的導通性を維持し、そのケーブルが約３００００サイクル超の屈曲寿命を有し、及びそのケーブルが音楽楽器ケーブルである、ケーブルを提供する。
2010518579.tif 000002
【特許請求の範囲】
【請求項１】
（ａ）有効外径を有する中心導体、
（ｂ）該中心導体の周囲に位置する誘電性材料及び、
（Ｃ）該誘電性材料の周囲に位置する外側導体又はシールドを含むケーブルであって、該シールドが有効内径を有し、
（ｄ）該中心導体が、２．０２６×１０-3ｃｍ2（３．１４１×１０-4ｉｎ2）以下の断面積を有し、
（ｅ）該ケーブルが、約４９ｐＦ／ｍ（約１５ｐＦ／ｆｔ）以下の静電容量を有し、
（ｆ）該ケーブルが、１１１Ｎ（２５ｌｂｆ）以上の引張力条件下で電気的導通性を維持し、
（ｇ）該ケーブルが約３００００サイクル超の屈曲寿命を有し、及び、
（ｈ）該ケーブルが音楽楽器ケーブルである、
ケーブル。
【請求項２】
前記中心導体が１．１４０×１０-3ｃｍ2（１．７６７×１０-4ｉｎ2）以下の断面積を有する、請求項１に記載のケーブル。
【請求項３】
前記中心導体が銅を含む、請求項１に記載のケーブル。
【請求項４】
前記中心導体が，約２４１Ｎ／ｍｍ2（約３５ｋｓｉ）超の引張強度を有する銅を含む、請求項１に記載のケーブル。
【請求項５】
前記中心導体が合金を含む、請求項１に記載のケーブル。
【請求項６】
前記中心導体がベリリウムと銅との合金を含む、請求項１に記載のケーブル。
【請求項７】
前記シールドが編組構造であって、撚り線が該編組構造の軸から４０度未満の角度に位置する、請求項１に記載のケーブル。
【請求項８】
前記シールド有効内径の前記中心導体有効外径に対する比が約８超である、請求項１に記載のケーブル。
【請求項９】
前記シールド有効内径の前記中心導体有効外径に対する比が約１０超である、請求項１に記載のケーブル。
【請求項１０】
前記シールド有効内径の前記中心導体有効外径に対する比が約１２超である、請求項１に記載のケーブル。
【請求項１１】
前記静電容量が約３９ｐＦ／ｍ（約１２ｐＦ／ｆｔ）以下である、請求項１に記載のケーブル。
【請求項１２】
前記静電容量が約３３ｐＦ／ｍ（約１０ｐＦ／ｆｔ）以下である、請求項１に記載のケーブル。
【請求項１３】
前記ケーブルが約２２２Ｎ（約５０ｌｂｆ）以上の引張力条件下で電気的導通性を維持する、請求項１に記載のケーブル。
【請求項１４】
前記ケーブルが約４４５Ｎ（約１００ｌｂｆ）以上の引張力条件下で電気的導通性を維持する、請求項１に記載のケーブル。
【請求項１５】
前記屈曲寿命が約１５００００サイクル以上である、請求項１に記載のケーブル。
【請求項１６】
前記屈曲寿命が約２７５０００サイクルである、請求項１に記載のケーブル。
【請求項１７】
前記音楽楽器がパッシブタイプの磁気ピックアップを含む、請求項１に記載のケーブル。
【請求項１８】
前記音楽楽器が弦楽器である、請求項１に記載のケーブル。
【請求項１９】
前記中心導体がベリリウムと銅との合金を含み、及び１．１４０×１０-3ｃｍ2（１．７６７×１０-4ｉｎ2）以下の断面積を有し、前記シールド有効内径の前記中心導体有効外径に対する比が約８超であり、前記静電容量が約３３ｐＦ／ｍ（約１０ｐＦ／ｆｔ）であり、前記引張強度が約４４５Ｎ（約１００ｌｂｆ）であり、並びに前記屈曲寿命が約２７５０００サイクルである、請求項１８に記載のケーブル。
【請求項２０】
パッシブタイプの磁気ピックアップと組み合わさる請求項１に記載のケーブルを含む物品。
【請求項２１】
前記パッシブタイプの磁気ピックアップを含む弦楽器を更に含む、請求項２０に記載の物品。
【請求項２２】
パッシブタイプの磁気ピックアップと組み合わさる請求項１９に記載のケーブルを含む物品。
【請求項２３】
前記パッシブタイプの磁気ピックアップを含む弦楽器を更に含む、請求項２２に記載の物品。
【請求項２４】
（ａ）有効外径を有する中心導体、
（ｂ）該中心導体の周囲に位置する補強層、
（Ｃ）該補強のポリマーの周囲に位置する誘電性材料及び、
（ｄ）該誘電性材料の周囲に位置する外側導体又はシールドを含むケーブルであって、該シールドが有効内径を有し、
（ｅ）該中心導体が、２．０２６×１０-3ｃｍ2（３．１４１×１０-4ｉｎ2）以下の断面積を有し、
（ｆ）該ケーブルが、約４９ｐＦ／ｍ（約１５ｐＦ／ｆｔ）以下の静電容量を有し、
（ｇ）該ケーブルが、１１１Ｎ（２５ｌｂｆ）以上の引張力条件下で電気的導通性を維持し、
（ｈ）該ケーブルが約３００００サイクル超の屈曲寿命を有し、及び
（ｉ）該ケーブルが音楽楽器ケーブルである、
ケーブル。
【請求項２５】
前記補強層がｅＰＴＦＥを含む、請求項２４に記載のケーブル。
【請求項２６】
前記補強層が、フルオロポリマー、熱硬化性又は熱可塑性ポリマー、セルロース系材料及び金属箔からなる群から選択される、請求項２４に記載のケーブル。
【請求項２７】
（ａ）中心導体、
（ｂ）該中心導体に接触する非金属強度ファイバー、
（Ｃ）該中心導体の周囲に位置する誘電性材料及び
（ｄ）該誘電性材料の周囲に位置する外側導体又はシールドを含むケーブルであって、該中心導体が、２．０２６×１０-3ｃｍ2（３．１４１×１０-4ｉｎ2）以下の断面積を有し、
（ｅ）該ケーブルが、約４９ｐＦ／ｍ（約１５ｐＦ／ｆｔ）以下の静電容量を有し、
（ｆ）該ケーブルが、１１１Ｎ（２５ｌｂｆ）以上の引張力条件下で電気的導通性を維持し、
（ｈ）該ケーブルが約３００００サイクル超の屈曲寿命を有し、及び
（ｉ）該ケーブルが音楽楽器ケーブルである、
ケーブル。
【請求項２８】
（ａ）中心導体、
（ｂ）該中心導体に接触しない強度ファイバー、
（Ｃ）該中心導体の周囲に位置する誘電性材料及び
（ｄ）該誘電性材料の周囲に位置する外側導体又はシールドを含むケーブルであって、該中心導体が、２．０２６×１０-3ｃｍ2（３．１４１×１０-4ｉｎ2）以下の断面積を有し、
（ｅ）該ケーブルが、約４９ｐＦ／ｍ（約１５ｐＦ／ｆｔ）以下の静電容量を有し、
（ｆ）該ケーブルが、１１１Ｎ（２５ｌｂｆ）以上の引張力条件下で電気的導通性を維持し、
（ｈ）該ケーブルが約３００００サイクル超の屈曲寿命を有し、及び
（ｉ）該ケーブルが音楽楽器ケーブルである、
ケーブル。
【発明の詳細な説明】
【技術分野】
【０００１】
本発明は、弦楽器用の改良ケーブルに関し、特には、低静電容量を有する弦楽器用の改良ケーブルに関する。
【背景技術】
【０００２】
ギター及び他の弦楽器は、度々、振動金属弦に接近したところにパッシブタイプの磁気ピックアップを取り付け、ケーブルを利用してアンプ及びスピーカーにこのピックアップを接続することによって増幅される。振動弦は、ピックアップのコア内で磁束に変化する。この磁束変化は、ピックアップの外側のコイルで電圧変化を促進し、このようにして、機械的な振動を電気信号に変換することを完成させる。この信号は、ケーブルの中を通ってアンプに送信される。
【０００３】
アンプにピックアップを接続するケーブルは、演奏中に音楽家が適切に行動することが可能なように、典型的には長さで１．５〜９．１メートル（５〜３０フィート）である。演奏の行動範囲を広くするために、何人かの音楽家は、ギターとアンプとの間の距離を実質的に長くすることが可能である無線送信機を利用する。ところが、圧倒的大多数の音楽家は更にその距離を長くすることを必要とせず、費用がかからないケーブル接続部品を使うことを好む。
【０００４】
ギターケーブルの電気的な要求に加えて、ギターケーブルは、機械的な特性をも合わせて有していなければならない。ギター及びアンプのジャックからギターケーブルを抜き出す時に、そのケーブルは引張力に耐える必要がある。ケーブルは、演奏者の動きを抑制しないように適切な屈曲性を必要とし、演奏者の持続する動きによって影響される任意の屈曲に耐えることに充分な頑強さを必要とする。また、ケーブルは、利用しない場合には保存するのに関連してグルグルに巻いたり、真っ直ぐに伸ばしたりするのに必要な力に耐える必要がある。
【０００５】
３６０度の金属ワイヤーシールドによって信号を取り囲む同軸ケーブルは、エレキギターとアンプ間の最も一般的な接続形態である。さらに、同軸ケーブル構造は別のケーブル設計において、幾つかの有利な点を提供する。任意の無線周波妨害（ＲＦＩ）と共に、ギター信号がスピーカー前で有意に増幅されるので、重要事項であるＲＦＩノイズから、外側のシールドはケーブルコアの内部で流れる低電圧信号を保護する。同軸ケーブル構造は、所定の静電容量のシールドケーブルに対して必要最小限のサイズを提供する。円形構造は、全方向において屈曲性を最大にすることが可能である。このことは、保存のためにケーブルを巻きつけておく場合は勿論のこと、使用中においても重要である。
【０００６】
ケーブルを用いてパッシブタイプのギターピックアップをアンプに接続する回路の電気的モデルを作製した（例えば、ｔｈｅ  Ｉｎｓｔｒｕｃｔｉｏｎ  Ｍａｎｕａｌ  ｆｏｒ  ｔｈｅ  Ｌｅｍｍｅ  Ｐｉｃｋｕｐ  Ａｎａｌｙｚｅｒを参照)。図１に表される回路は、ピックアップ、ケーブル及びアンプのモデルである。１５２メートル（５００フィート）の長さまでオーディオ周波数として利用される場合のケーブルは、信号経路の全抵抗に相当する直列抵抗及び、容量値が信号経路の集中容量に等しい並列コンデンサーとして示される。アンプ入力回路は非常に高いインピーダンスであり、典型的には、５０００００オーム〜１００００００オームである。ケーブル抵抗とアンプ入力抵抗との間の電圧除算回路を前提とすると、その回路の信号送信は、５０−１００オームより低いケーブル抵抗値に対して比較的敏感ではない。楽器ケーブルは、この範囲よりはるかに下回った抵抗値を有する。
【０００７】
回路の周波数応答は、ピックアップインダクタンスとケーブル静電容量との相互作用によって決定される。ケーブル静電容量とピックアップインダクタンスのそれぞれのリアクタンスが振幅において等しくなる場合に、共鳴周波数は算出される。図１の回路の共鳴周波数は次の式によって計算される。
【０００８】
【数１】
2010518579.tif 000003
式中、「Ｌ」は、一定のピックアップインダクタンスであり、そして、「Ｃ」は集中ケーブル静電容量であって、その静電容量は、ケーブルの構造と長さとによって決定される。共鳴周波数は、ケーブル静電容量に反比例する。ケーブル静電容量が小さくなると、共鳴周波数は大きくなる。
【０００９】
Ｌｅｍｍｅ  Ｐｉｃｋｕｐ  Ａｎａｌｙｚｅｒを利用して、好ましい静電容量値を得るために、２００５  Ｆｅｎｄｅｒ  Ａｍｅｒｉｃａｎ  Ｓｅｒｉｅｓ  Ｓｔｒａｔｏｃａｓｔｅｒのブリッジピックアップの応答が、様々な長さのケーブルと直列にして測定された（図２参照）。また、その応答カーブはＳＰＩＳＥソフトウェアを利用してシミュレートされた。
【００１０】
また、図２において、測定結果と共に回路シミュレーションは、ケーブル静電容量が小さくなるとギターの中音域の周波数においてより平坦な応答を作り出して、共鳴周波数の振幅が小さくなることを示す。また、回路応答の−３ｄＢのロールオフ周波数は、ケーブル静電容量に比例する。所定のピックアップインダクタンスに対して、ケーブル静電容量が小さくなると、−３ｄＢロールオフ周波数は増大する。このことは、広範なオーディオ周波数を送信して聴くことを許容する。
【００１１】
−３ｄＢより上の範囲にオーディオ周波数を拡げるようにシフトすること及び共鳴周波数を目立たなくさせることによって、ギター奏者は、明瞭性と明るさが増大する方向で音調がシフトすることを容易に見抜くことができる。パッシブタイプの磁気ピックアップを備える楽器を使って、この効果を奏することを希望するギター奏者に対してケーブル静電容量を最小化することは必要である。
【００１２】
フット当たりのピコファラド（ｐＦ／ｆｔ）としての同軸ケーブルの静電容量（Ｃ）は以下の式によって求められる。
【００１３】
【数２】
2010518579.tif 000004
式中、
εr＝相対誘電定数、
Ｄe＝外側シールドの有効内径、
ｄe＝中心導体の有効外径、
である。
【００１４】
有効径は、多導体形状の電気的相当径である。その有効径は特定の構造物中のワイヤー間のギャップを考慮する。
【００１５】
シールドの有効径（Ｄｅ）は次の式によって計算される。
【００１６】
【数３】
2010518579.tif 000005
式中、
Ｄ＝シールド構造物の内径に接触する絶縁構成要素の幾何学的外径、
ｄw＝シールド構成要素のワイヤーの幾何学的径、
である。
【００１７】
同心の撚り線の中心導体の有効径が次の式を使って計算される。
【００１８】
【数４】
2010518579.tif 000006
式中、
ｄ＝中心導体の構成要素ワイヤーの幾何学的径
ｎ＝構成要素ワイヤーの数
【００１９】
ケーブルの静電容量を小さくする方法は幾つかあるが、各々の方法は、別個独立の不利な点を有する。
【００２０】
中心導体とシールドとの間に位置する材料の相対誘電率を小さくすること、
ポリエチレンのような幾つかの安価な材料は、およそ１．５まで誘電率を小さくするために、処理中にガスを注入することができる。そして、これより低い誘電率を得るためには、更に高価な処理とフルオロポリマーのような更に低い誘電性材料を必要とする。
【００２１】
外側シールドの有効内径を増大させること、
この選択は、添加する材料のコストがかかること及び、コネクターサイズに適合するためにケーブル径が実用的に制限されることによって拘束される。
【００２２】
中心導体の有効外径を小さくすること、
典型的な市販ケーブルは、１８−２２ＡＷＧの銅の中心導体を用いる。ワイヤーゲージのこの範囲は、およそ０．１２７〜０．０６４３センチメートル（およそ０．０５００〜０．０２５３インチ）の範囲に及ぶ外径を有する導体を表す。適切なサイズを得るために、導体は固体導体又は多導体でよい。幾つかの多導体の例は、２６ＡＷＧの銅に至るまで確認することが可能であり、それは、およそ０．０５０８センチメートル（およそ０．０２００インチ）の外径を有する。これらの多形状における構成要素ワイヤー径（ｄ）は０．００５０８センチメートル（０．００２インチ）に至るまで確認することができる。中心導体の有効径を小さくするために、式１で示されるように、構成要素ワイヤー（ｄ）と撚り線の数とを減らすべきである。構成要素ワイヤー径（ｄ）と撚り線の数とを減らせば、中心導体ワイヤーの全断面積は小さくなる。断面積が小さくなれば、所定の材料に対して破損時の引張力が小さくなるという結果を導くことになる。このことは、ケーブルの屈曲寿命と引張強度の両方を危うくすることになる。
【発明の概要】
【発明が解決しようとする課題】
【００２３】
楽器ケーブルの信号忠実度を改良するために必要とされるものは、強度、耐久性、コネクター適合性を維持ながら低静電容量を有し、さらにコストパフォーマンスを有するケーブルである。
【課題を解決するための手段】
【００２４】
本発明は、有効外径を有する中心導体、その中心導体の周囲に位置する誘電性材料、及び、その誘電性材料の周囲に位置する半導電層、及びその誘電性材料の周囲に位置する外側導体又はシールドを有するケーブルであって、そのシールドが有効内径を有し、その中心導体が、２．０２６×１０-3ｃｍ2（３．１４１×１０-4ｉｎ2）以下の断面積を有し、そのケーブルが、約４９ｐＦ／ｍ（約１５ｐＦ／ｆｔ）以下の静電容量を有し、そのケーブルが、１１１Ｎ（２５ｌｂｆ）以上の引張力条件下で電気的導通性を維持し、そのケーブルが約３００００サイクル超の屈曲寿命を有し、及びそのケーブルが音楽楽器ケーブルである、ケーブルを提供する。その中心導体が１．１４０×１０-3ｃｍ2（１．７６７×１０-4ｉｎ2）以下の断面積を有することが好ましく、そして、約２４１Ｎ／ｍｍ2（約３５ｋｓｉ）超の引張強度を有する銅を含むことが好ましい。その中心導体が合金を含むことがより好ましく、その合金がベリリウムと銅との合金であることが好ましい。その中心導体が、その中心導体の周囲に補強層を有することが好ましく、その補強層がポリテトラフルオロエチレン（ｅＰＴＦＥ）から作られていることが好ましい。代替的には、前記補強層が、フルオロポリマー、熱硬化性若しくは熱可塑性ポリマー、セルロース系材料又は金属箔を含む。
【００２５】
また、そのシールドが編組構造であって、撚り線が該編組構造の軸から４０度未満の角度に位置することが好ましい。そのシールド有効内径のその中心導体有効外径に対する比が約８超であり、約１０超であることが好ましく、約１２超であることが最も好ましい。その静電容量が約３９ｐＦ／ｍ（約１２ｐＦ／ｆｔ）以下であることが好ましく、約３３ｐＦ／ｍ（約１０ｐＦ／ｆｔ）以下であることがより好ましい。そのケーブルが約２２２Ｎ（約５０ｌｂｆ）以上の引張力条件下で電気的導通性を維持し、さらに約４４５Ｎ（約１００ｌｂｆ）以上の引張力条件下で電気的導通性を維持する。その屈曲寿命が約１５００００サイクル以上であることが好ましく、約２７５０００サイクルであることが好ましい。その音楽楽器がパッシブタイプの磁気ピックアップを導入する弦楽器であることが好ましい。
【００２６】
別の態様として、本発明は、パッシブタイプの磁気ピックアップを導入する弦楽器と組み合わさる本発明のケーブルを含む物品を提供する。
【図面の簡単な説明】
【００２７】
【図１】図１は、パッシブタイプのギターピックアップ、ケーブル及びアンプの概略的な回路モデルである。
【図２】図２は、ケーブルの静電容量毎のパッシブシステムについての周波数応答をシミュレートし、測定したグラフである。
【図３】図３は、本発明の典型的な実施形態にしたがった編組シールドの概略的な側面図である。
【図４】図４は、屈曲試験装置の概略図である。
【図５】図５は、本発明の典型的な実施形態にしたがったケーブルの応力-変形グラフである。
【図６】図６は、本発明の典型的な実施形態にしたがったケーブルの力−伸長度グラフである。
【図７】図７は、本発明の一つの実施形態の斜視図である。
【図８】図８は、テープ補強した中心導体の斜視図である。
【発明を実施するための形態】
【００２８】
図７に示される好ましい実施形態に関連して、本発明は、ここで述べられる。図７に示されるように、本発明の楽器ケーブルは、中心導体１１、誘電体１２、半導体層１３、シールド１４、任意的なバインダー１５及びジャケット１６を含む。
【００２９】
中心導体１１の周りの誘電体１２は、好ましくは、発泡ポリエチレンである。上記で述べたように、中心導体１１の有効外径を最小化することは、静電容量を減少させる。代替的に、シールド１４の有効内径を増大させることによって、より大きな中心導体１１を利用して静電容量を減少させることは可能であるが、そのような解決策は、最大のケーブル外径(好ましくは、０．９５２５センチメートル（０．３７５インチ））という、特有の要件を有する楽器ケーブルのため実用的ではない。したがって、出願人ら（発明者ら）は、中心導体１１の有効外径を減少させることに関連して、シールド１４の有効内径に対する中心導体１１の有効外径の比が約８超であることを保証することが必要であることを見出した。
【００３０】
誘電体１２と外側のシールド１４との間の電荷蓄積を減少させる必要があるため、半導体層１３が、誘電体１２とシールド１４との間に、好ましく配置される。シールド１４が誘電体１２との関連で動く場合に、半導体層１３は、半導体固体ポリエチレンから形成されることが好ましく、摩擦電気効果及びそれに伴う電気ノイズが発生することを最小限にとどめるのに役立つ。
【００３１】
ジャケット１６、好ましくは、ＴＰＥ添加剤を有するＰＶＣが、シールド１４の周囲に配置される。バインダー１５は、ジャケット１６とシールド１４との間に、任意に配置される。用いられるならば、バインダー１５は、好ましくは、０．００５０８センチメートル（０．００２インチ）の厚みのｅＰＴＦＥで作製される。代替的には、例えば、フルオロポリマー、熱硬化性若しくは熱可塑性ポリマー、セルロース系材料又は金属箔のような材料も、また、この構造物においてバインダー１５として利用され得る。
【００３２】
好ましい実施形態における中心導体１１は、ベリリウムと銅との合金である。そのような合金ワイヤーはＩＷＧ  Ｈｉｇｈ  Ｐｅｒｆｏｒｍａｎｃｅ  Ｃｏｎｄｕｃｔｏｒｓ、  Ｉｎｃ.から市販されている。合金は、中心導体１１に対して好ましい。なぜならば、下記の実施例において例示されるように、典型的には、合金は、非合金よりもより良好な引張強度及び屈曲寿命を有するからである。当該技術分野の当業者であれば認識するように、他の銅合金が、本発明において用いられてもよい。更なる代替の実施形態としては、中心導体１１は、図８に示されるように、延伸ＰＴＦＥ(ｅＰＴＦＥ)テープ１１１を巻き付けて補強される。この代替的な実施形態に関して、下記の実施例で示されるように、中心導体１１の引張強度と屈曲寿命は最大となる。なぜならば、ｅＰＴＦＥテープを有する補強中心導体１１は、引張強度と屈曲寿命とを非常に顕著に強化し、また、中心導体１１のためのｅＰＴＦＥテープ巻き付け物と組み合わした状態で、合金よりはむしろ銅中心導体を利用することが、更なる代替の実施態様として検討される。代替的には、例えば、フルオロポリマー、熱硬化性若しくは熱可塑性ポリマー、セルロース系材料又は金属箔のような材料も、また、この構造物において補強材として利用され得る。
【００３３】
静電容量を最小化にして、それによって、音声信号の明瞭性及び輝度を増大させるために、誘電体１２の相対誘電率は低い状態である。２未満の誘電率が好ましく、そして、１．５未満の誘電率が最も好ましい。シールド有効内径（Ｄｅ）に対する中心導体有効外径（ｄｅ）の比もまた、静電容量を最小化にして、増大することができる。
【００３４】
８超の有効径比が好ましく、そして、その比が１２であることが最も好ましい。０．３０４８センチメートル（０．１２０インチ）超のシールド有効内径が好ましく、０．４０６４センチメートル（０．１６０インチ）超のシールド有効径が最も好ましい。許容可能なシールド径を維持しながら、中心導体１１は、低静電容量を達成するために非常に小さなワイヤーから作製されることが好ましい。
【００３５】
一つだけのワイヤーを有する中心導体に対して、有効径は、導体の幾何学的な径に等しい（式１を参照）。ところが、単一の導体は屈曲状態でも通常状態と同様に機能しない。中心導体は、屈曲性を改良するために、複数の導体で作製されることが好ましい。０．０５０８センチメートル（０．０２０インチ）未満の中心導体有効外径が好ましく、そして、０．０３８１センチメートル（０．０１５インチ）の径が最も好ましい。複数の導体のトータルの幾何学的な径は測定することに困難であるので、全断面積が、中心導体を画定するために利用される。また、その全断面積は、引張強度を決定する際にも有用な値である。２．０２６×１０-3ｃｍ2（３．１４１×１０-4ｉｎ2）未満の全断面積を有する中心導体が好ましく、１．１４０×１０-3ｃｍ2（１．７６７×１０-4ｉｎ2 ）未満の面積を有することが最も好ましい。低誘電性材料と有効径比とを組み合わせて、そのような品質の優れた中心導体を使用することは、楽器ケーブル１０の最適な性能のために必要とされる低い静電容量を提供する。好ましくは、下記の実施例に示されるように、ケーブルの静電容量は、４９ｐＦ／ｍ（１５ｐＦ／ｆｔ）未満であり、最も好ましくは３３ｐＦ／ｍ（約１０ｐＦ／ｆｔ）である。中心導体１１サイズを最小化にすることによって、中心導体１１を弱体化させるという副作用を引き起こすことになるので、出願人ら（発明者ら）は、中心導体１１のために合金を使うか、若しくは半導体１１にｅＰＴＦＥテープを巻くか、又はその両方の方法によってその機械的特性の低下を解決することができることを見出した。さらに、下記に述べるように、出願人ら（発明者ら）は、本発明の楽器ケーブル１０を作り出すケーブルの強度増進機構を更に見出した。
【００３６】
出願人ら（発明者ら）は、ある中心導体構造物が、驚くべきことに、良好な引張強度及び屈曲寿命の性能結果を作り出すことを見出した。試験、結果及び結論は、後述する実施例のところに示される。
【００３７】
図７に戻って参照すると、シールド１４は、誘電体１２の周囲に配置される。シールド１４は、好ましくは、編組構造であり、図３に示されるように、約０．４１９センチメートル（約０．１６５インチ）の幾何学的内径（編組部が絶縁構成要素の外径に接触する地点 )「Ｄ」（３４）を有し、キャリア「Ｅ」（３２）毎に、８個の末端部（又は「ワイヤー」（３１）)を備える２４個のキャリアで編組されて直径「ｄw」（３３）が約０．０１０（約０．００４インチ）である３８ＡＷＧ−銅撚り線からなり、実施形態として図示されているように、およそ２２度の編組角度「α」（３７）である。一つのキャリアの編組ワイヤーが他のキャリアを通過する地点「Ｐ」（３５）は、「ピック」と呼ばれる。インチ毎の好ましいピック数は、約９である。
【００３８】
出願人ら（発明者ら）は、好ましく、シールド１４が、中心導体を支持して楽器ケーブル１０の引張強度を最大にする編組構造であることを見出した。シールド１４の好ましい編組角度「α」（３７）はケーブルの縦軸に対して４０度未満である。さらに、任意の編組角又はシールド構造物（例えば、ワイヤーシールドが供給されるところ)において、代替的な強度部材、例えば、ポリマーテープ、金属箔及びファイバーが、中心導体を補強するために導入されてよい。ファイバーは、多導体構造の一つ又は複数の部分であってよい。さらに、ファイバーは、ケーブルの縦軸方向に平行に走ってよい。
【００３９】
編組角度は、次の式２にしたがって計算される。
【００４０】
【数５】
2010518579.tif 000007
式中、
α＝編組角度（３７）、
Ｑ＝１インチ毎のピック「Ｐ」（３５）の数、
ｍ＝キャリア（３２）の数、
Ｄave＝次の式によって計算される平均編組径：
Ｄave=Ｄ（３４）＋２ｄw（３３）、
である。
【００４１】
例示されたケーブル構造物に対して編組パラメーターを変更することによって、ケーブルが引張応力の状態下でどのように挙動するかに関して変化する。編組パラメーターを変更すること次第で、如何に上手に、ケーブルのコンポジット材料構造が高い引張応力及び究極的には、破損から中心導体を保護することが可能であるかが決定される。編組撚り線の直径を増大させるか、又は編組部のワイヤーのトータル数を増やすによって、編組金属を追加することは、ケーブルの全体の強度を改良する。また、他の強度増強用構成材料も、ケーブルの全体の強度を改良する。ところが、この極限強度が実行される前に、小さな中心導体であれば破損する可能性がある。強度とともに、ケーブルの引張剛性は、弱い力で破損することからより小さな中心導体の構成要素を保護するために充分高い必要がある。
【００４２】
出願人ら（発明者ら）は、本発明のケーブルを形成するために、ここにおいて述べられる中心導体と組み合わせて、ここにおいて述べられる編組線を利用する。ケーブル剛性は、本発明のケーブルを特徴付けるために利用される一つのパラメーターである。ケーブル剛性は、ケーブルのコード係数を用いて測定する。コード係数は、初期状態の８．９Ｎ（２．０ｌｂｆ）のプレロード地点とケーブルの電気的導通がなくなる地点との間の応力変形の曲線上のコード（弦）の傾斜度によって定義される（下記、式３参照）。
【００４３】
【数６】
2010518579.tif 000008
式中、
Δσr＝中心導体の相対応力の変化、
ε= ケーブル変形、
である。
【００４４】
相対応力は、構造物中の中心導体を特徴付ける応力変形との関連で用いられる。相対応力は、ケーブルが試験される際に、中心導体の断面積と関連付けてケーブル力を用いて計算される（下記の式４を参照）。
【００４５】
【数７】
2010518579.tif 000009
【００４６】
これは、引張状態での全断面積ではないが、中心導体の材料及び大きさ毎にケーブル剛性の相対値を提供する。編組角度は、このコード係数を制御するために利用することができる。編組角度は、ケーブルの縦軸と編組撚り線との間の角度として定義される。編組角度が小さいということは、編組撚り線がケーブルの縦軸と一列に並ぶことを意味する。編組角度が小さい場合は、撚り線がケーブル構造物の引張強度に寄与し始める時に少しの拡張の程度しか必要とされない。このことは、より大きいコード係数を作り出すことになる。編組角度が大きい場合は、編組撚り線が、縦軸に対して垂直に並び、ケーブル構造物の引張強度に寄与し始める時により大きい拡張の程度が必要とされる。このことは、より小さいコード係数を作り出すことになる。小さい静電容量に必須である、これらの小さな中心導体に関して、その導体が、ケーブルの引張剛性を増大させる部材によって支持されることが重要である。剛性があまりにも小さいならば、ケーブル構造物の他の部分が適切にロードを共有する前に、中心導体が引張状態で破損する。
【００４７】
出願人ら（発明者ら）は、本発明のケーブルに対して編組特性を実証するいくつかのサンプルを作り出した。これらのサンプルに関する、試験、結果及び結論の詳細については、後述する実施例のところに示される。
【００４８】
本発明の様々な実施形態の実施例は後程述べる。実施例で利用される関連する試験はこの後に述べる。実施例は、本発明を例示して述べることを意図するが、実施例によって任意の特定の実施形態に本発明を限定するつもりはない。むしろ、出願人ら（発明者ら）は、添付の特許請求の範囲によって画定される充分な範囲で本発明が述べられることを意図する。
【００４９】
ＩＩ．試験方法
Ａ．中心導体の引張強度
ｌｎｓｔｒｏｎ２７１４−００６  Ｃｏｒｄ＆Ｙａｒｎ  Ｇｒｉｐｓを装備したｌｎｓｔｒｏｎ５５６５試験装置を利用して、中心導体サンプルの引張試験をした。サンプルは、３８．１センチメートル（１５インチ）のゲージ長を備えた。２．２Ｎ（０．５ｌｂｆ）のプレ荷重をして２０．００センチメートル（７．８７４インチ）／ｍｉｎの速度でサンプルを引っ張った。
【００５０】
Ｂ．中心導体寿命
中心導体の屈曲寿命は、改良されたＡＳＴＭＢ４７０−０２試験を利用して測定した。試験の装置は図４に示され、図において、荷重は、かたまり「Ｍ」（４９）の重し（４３）を取り付けることによって、サンプルに適用される。サンプル（４１）は、ギャップ「Ｇ」（４８）によって相隔たれた、直径「Ｄ」のマンドレル（４７）の中を通って供給される。マンドレルは、重し（４３）から長さ「Ｌ２」（４６）のところでセットされる。サンプル（４１）は、マンドレルギャップ「Ｇ」（４８）から長さ「Ｌ１」（４５）のところで、クランプ（４２）に取り付けられる。サンプル（４１）は、マンドレルギャップ「Ｇ」（４８）の上側で角度「Ａ」（４４）まで曲げられる。一つの充分な屈曲サイクルは、サンプルがスタート地点まで戻った後にカウントされる。＋／−６０度については、サンプルは、充分なサイクルがカウントされる前に、一つのある方向に１２０度動き、反対の方向に１２０度動く。サンプルは、速度「Ｒ」で曲げられる。下記の表１は、この装置で用いられた試験パラメーターを示す。
【００５１】
【表１】
2010518579.tif 000010
【００５２】
導体サンプルは、装置に取り付けられ、その導体が機械的に破損するまで曲げられた。
【００５３】
Ｃ．ケーブル引張試験
サンプルは、Ｑｕａｌｉｔｅｓｔ  ＴＨＳ１８５−５０  Ｒｏｐｅ  Ｇｒｉｐｓを装備した、ｌｎｓｔｒｏｎ５５６５試験装置を利用して試験をした。サンプルは、２５．４センチメートル（１０インチ）のゲージ長を備えた。そして、８．９Ｎ（２．０ｌｂｆ）のプレ荷重をして１２．７センチメートル（５．０インチ）／ｍｉｎの速度でサンプルを引っ張った。各々のケーブルの中心導体の導通性は試験中監視され、破損時の力と拡張度が記録された。これは、中心導体の破損に対する編組部の破損の比較を可能とする。引張破損は、電気的導通性が失われた地点をもとに決定された。
【００５４】
Ｄ．ケーブル静電容量試験
ケーブル静電容量は、ＢＫ  Ｐｒｅｃｉｓｉｏｎ  ８７５Ｂ  ＬＣＲ  Ｍｅｔｅｒ及びワニ口クリップを備える試験導線を利用して、全体のケーブルアセンブリ静電容量を測定することによって決定した。クリップが中心導体及びケーブルのシールドワイヤーに取り付けられ、全体のケーブルの静電容量を測定した。その後、この値は、単位長の静電容量であるｐＦ／ｆｔを得るためにケーブルのフィート長で除された。
【００５５】
Ｅ．ケーブルの屈曲寿命
図４に表されるのと同様な装置を利用するが、次のパラメーターを用いてケーブル屈曲寿命を測定した。
【００５６】
【表２】
2010518579.tif 000011
【００５７】
ケーブルサンプル（４１）は、装置に取り付けられ、導体又はシールドが機械的に破壊するまで曲げられた。機械的な破損は、導体又はシールドを横切る抵抗が０．５オーム増加するところで決定された。
【実施例】
【００５８】
Ａ．中心導体サンプル
上記の中心導体の引張強度及び中心導体屈曲寿命で述べられたような試験方法を利用して、出願人ら（発明者ら）は、複数の中心導体の性能を測定した。各々の中心導体の構造の詳細内容と試験結果は、下記の表１０に示される。
【００５９】
【表３】
2010518579.tif 000012
【００６０】
試験をした２２ＡＷＧ銅導体(サンプル1)は、市販ケーブルとして確認できる典型的な導体タイプの代表的なものである。そのピーク力を、２４％の伸張度で９１．２Ｎ（２０．５ｌｂｆ）まで観察した。２８ＡＷＧ銅導体（サンプル３）は、２１．３％の伸張度で２２．２Ｎ（５．０ｌｂｆ）のピーク力を有した。銅導体は、２０７−２４１Ｎｍｍ2（約３０−３５ｋｓｉ）の最大引張応力を有する。合金１３５は、約４１４Ｎｍｍ2（約６０ｋｓｉ）（銅の引張応力のおよそ２倍)の最大引張応力を有したベリリウムと銅との合金である。２８ＡＷＧ合金１３５サンプルは、８．４−１０．７％の伸張度で４０．０−４１．４Ｎ（９．０−９．３ｌｂｆ）まで平均ピーク力を増加させる（サンプル５及び６）。ＨＳ９５及びＣＳ９５は、約６２１Ｎｍｍ2（約９０ｋｓｉ）（銅の引張応力のおよそ３倍)の最大引張応力を有したベリリウムと銅との同様な合金である。ＨＳ９５及びＣＳ９５は、７．９−９．４％の伸張度で６４．５−６６．７Ｎ（１４．５−１５．０ｌｂｆ）まで平均ピーク力を増加させる（サンプル７及び８）。合金（サンプル５−８）の強度は大きいので、破損までの伸張度が銅に対して約４０％未満である。合金導体の強度が大きくなるまでテープ補強材を加えることによって、引張強度は、更に４４Ｎ（１０ｌｂｆ）増大して、伸張度は、未加工合金と比較して１００％分増加する（サンプル９−１５）。
【００６１】
２２ＡＷＧ銅導体（サンプル１）の平均屈曲寿命を、１４１サイクルになるまで観察した。２８ＡＷＧ銅導体(サンプル３)は、２１サイクルの平均屈曲寿命を有した。２８ＡＷＧ４１４Ｎｍｍ2（６０ｋｓｉ）及び６２１Ｎｍｍ2（９０ｋｓｉ）の合金導体を用いることによって、平均屈曲寿命は、それぞれ７４−９９及び４００−４１３サイクル（サンプル５−８）まで増加した。２８ＡＷＧ６２１Ｎｍｍ2（９０ｋｓｉ）の合金導体（サンプル７及び８）は、２８ＡＷＧ銅（サンプル３及び４）の寿命の約２０倍の平均屈曲寿命を示し、２２ＡＷＧ銅（サンプル１）の寿命の約３倍の平均屈曲寿命を示し、そして、２４ＡＷＧ銅(サンプル２）の寿命の約５倍の平均屈曲寿命を示す。２８ＡＷＧ６２１Ｎｍｍ2（９０ｋｓｉ）合金導体(サンプル１３−１５）に様々な形態のテープ補強材を追加することによって、平均屈曲寿命は、２０４６−３７４７サイクル又は２８ＡＷＧ銅導体（サンプル３）の約９７〜１７８倍まで、更に延びる。
【００６２】
Ｂ．編組サンプル
ケーブルは、編組角度を様々に変更して構成された。下記の表２はケーブル構成を示す。これらのケーブルパラメーターは、編組角度を変更した時に、一定に保たれた。そのケーブルについて、上記で述べた引張試験にしたがって、引張特性の試験を行った。そして、試験の結果を表３に示す。
【００６３】
【表４】
2010518579.tif 000013
【００６４】
【表５】
2010518579.tif 000014
【００６５】
表３は、三つの異なる編組角度に対する、ケーブル力と導通性が失われる拡張度とを示す。また、システム中の第一の機械構成要素が引張破損となる破損状態が、この表で示される。サンプル３５８０＿２＿Ｓ１中の中心導体は、編組部よりも有意に低い力と拡張度で破損する。このことは、他方の二つのサンプルと比較して、破損時の力が有意に低いことを表す。サンプル２及び３のそれぞれにおいて、編組角度が減少する場合に、編組部が、変形に応じて高い速度で引張強度に寄与するので、相対応力は増大し、コード係数は増大する（図５）。これは、中心導体を保護して、更に高い破損時のケーブル力となる（図６）。この知見は、編組角度を制御することによって、別のケーブル構造物に変換させることができる。
【００６６】
Ｃ．本発明のケーブルの実施例
本発明にしたがったケーブルは、下記の表４に表されるように、様々な構造物として作製された。誘電体、半導体層及びジャケットは、一定に固定された。そして、それらは表２に定義されたものと同一である。各々の構造物に対して、シールド(１４)は、ＡＷＧ３８（１）の錫メッキした銅ワイヤーで作製された編組構造である。各々の例示に対して、およそ０．４３９センチメートル（０．１７３インチ）の平均編組径(Ｄave)を構成した。各々の例示に対するシールド有効内径は、およそ ０．４３４センチメート（０．１７１インチ）である。全ての中心導体はＡＷＧ２８（７／３６）であり、低い静電容量値を得るためにおよそ０．０３６１センチメートル（０．０１４２インチ）の有効外径を有する。
【００６７】
【表６】
2010518579.tif 000015
【００６８】
表４に概要された全てのケーブル構造物について、上記で述べた手順にしたがって静電容量の試験をした。また、比較として、次の市販ケーブル、すなわち、Ｐｌａｎｅｔ  ＷａｖｅｓTM  ＰＷ−ＡＧ−１５、ＰｒｏＣｏ  ＳＥＧ−１０、ＭｏｎｓｔｅｒTM   Ｃａｂｌｅｓ  Ｍｏｎｓｔｅｒ  ＲｏｃｋTM、Ｈｏｒｉｚｏｎ  ＨＣＳ−２５についても試験をした。全ての結果を下記の表５に示す。
【００６９】
【表７】
2010518579.tif 000016
【００７０】
ケーブルに関する静電容量結果は、全ての典型的な実施形態が、３３．１ｐＦ／ｍ（１０．１ｐＦ／ｆｔ）以下の静電容量を有することを示している。この目的は、およそ１２の有効径比と約１．５の誘電率である発泡ＰＥとによって達せられた。試験を実施した身近に商業的に入手可能なオプションである、ＰＷ−ＡＧ−１５は、５９ｐＦ／ｍ（１８ｐＦ／ｆｔ）の静電容量を有した。他方のケーブルは、８０．７ｐＦ／ｍ（２４．６ｐＦ／ｆｔ）（ＨＣＳ−２５）から１４０ｐＦ／ｍ（４２．６ｐＦ／ｆｔ）（Ｍｏｎｓｔｅｒ  Ｒｏｃｋ）の範囲である。本発明のケーブルの静電容量はそのように低いので、結果として得られる音質が、比較例の音質よりもかなり優れているということになる。
【００７１】
次に、全ての典型的なケーブルと比較例ケーブルとについて、上記で概要を述べた手順にしたがって、引張強度とケーブル屈曲寿命の試験をした。各々のサンプルの中心導体の断面積（Ａ）を測定した。破損時の相対応力（Ｂ）とコード係数（Ｄ）とが、破損時のケーブル変形（Ｃ）及びケーブル力（Ｅ）の測定値に基づいて計算された。いくつかのモデルに対して、三つのサンプルが、ケーブル屈曲寿命（Ｆ）について試験された。その結果は表６に示される。
【００７２】
【表８】
2010518579.tif 000017
【００７３】
サンプル４及び５は特に注目すべきである。サンプル５の銅中心導体及びサンプル４の合金中心導体の使用を除いて、これらの二つのサンプルは同一の構造を有する。両方のケーブルは、３５６Ｎ（約８０ｌｂｓ）のピーク力を示すが、編組構造物が中心導体を支持していることを表わす。低伸張度の銅合金中心導体で作製されたケーブルは、破損時に低変形性を有するケーブルを作り出す。これは、同一サイズの銅中心導体で作製されたケーブルにおいて同一のピーク力を維持するために更に高いコード係数を必要とする。市販の対照品は、より低いコード係数でより高いピーク力を達成することができるより大きな中心導体を組み込む。中心導体がより大きくなると断面積が増大するために（ＡＷＧ２８（７／３６）導体の２倍の断面積となる。）、市販の対照品のコード係数はより小さくなる。中心導体が大きければ大きいほど、より大きな強度を提供し、より大きなピーク力を得るためのケーブル中の他の部分の支持部材をより少なくすることが可能である。ところが、これらのより大きな中心導体は、楽器ケーブルのために通常利用されるシールド径及び誘電性材料に基づいたより大きな静電容量を有するケーブルを作り出してしまう。
【００７４】
低静電容量の全ての例示は、中心導体のサイズが有意な程度で小さくなるにもかかわらず、試験をした市販のケーブル品の引張強度と同じであるか、その強度より大きくなる。
【００７５】
標準的なサンプル５の銅中心導体及びサンプル４の二つのサンプルが、３３３９１２サイクルの持続の試験で一度も破損しない条件で、そのサンプル５の 銅中心導体は、屈曲状態で１８３８サイクルしか持続しなかったが、一方、そのサンプル４は、最低限１６６６８１サイクルの持続をしたことが、屈曲寿命の試験をすることによって理解できる。また、破損状態になる前で試験の終了後(２１８５１２サイクル)に、合金中心導体のサンプル６を取り外した。
【００７６】
合金中心導体を有する全てのケーブルは、試験をした市販のケーブルと比較して平均屈曲性能を凌駕した。
【００７７】
本発明は、ある好ましい実施形態を参照して例示をしたが、それらの実施形態に限定する意図はない。むしろ、本発明は、添付の特許請求の範囲内を充分に定める意図である。
【図１】
2010518579.tif 000018
【図２】
2010518579.tif 000019
【図３】
2010518579.tif 000020
【図４】
2010518579.tif 000021
【図５】
2010518579.tif 000022
【図６】
2010518579.tif 000023
【図７】
2010518579.tif 000024
【図８】
2010518579.tif 000025
【国際調査報告】
2010518579.tif 000026
2010518579.tif 000027